(57)【要約】      （修正有）【課題】ジャケット吊るしカードの盗難防止構造を提供する。【解決手段】吊るしカード１０の下端の嵌接部２０構造により、ジャケット嵌接口に挿接されると、係止部材２３の当接により、吊るしカードとジャケットとが、脱離できない状態になる。その構造によれば、吊るしカードの下端において、中央に、嵌接部が設けられ、嵌接部の両側に、対応した係合ブロック２１が設けられ、係合ブロックの外側面に、ともに、突出部２２が設けられ、二つの係合ブロックの間において、係止部材が設けられ、係止部材が、係止端部２５で吊るしカードに連結され、係止端部の両側に、上円弧状中空部２６が形成され、係止部材が、その中段や下段領域に、両側の係合ブロックに向かって伸びる当接部２４が形成される。【選択図】図２
0003183076.tif 000002
【実用新案登録請求の範囲】
【請求項１】
ジャケットに結合される吊るしカードであって、
吊るしカードの下端において、中央に、嵌接部が設けられ、上記嵌接部の両側辺が、対応した係合ブロックになり、上記係合ブロックの外側面に、ともに、突出部が設けられ、二つの係合ブロックの間において、中空部が形成されて、係止部材が設けられ、上記係止部材が、主として、係止端部で、吊るしカードと連結し、係止端の両側に、上円弧状中空部が形成され、上記係止部材が、その中部及び下部領域に、両側に設けてある係合ブロックに向かって伸びる当接部が形成される、
ことを特徴とするジャケット吊るしカードの盗難防止構造。
【考案の詳細な説明】
【技術分野】
【０００１】
本考案は、ジャケット吊るしカードの盗難防止構造に関するものであり、さらに詳しくは、レンチと吊るしカードとが結合された時、レンチヘッドと吊るしカードとが、緊密に接合して分離しない構造に関するものである。
【背景技術】
【０００２】
従来、ジャケットの吊るしカード包装について、ジャケットと吊るしカードとが、安定的に結合されず、吊るしカードとジャケットとの係合が、簡単に分離するという問題があり、盗難防止においても十分でなかった。かかる状況下において、吊るしカードとジャケットの係合が容易に分離不可能な構造の開発が切望されていた。
【考案の概要】
【考案が解決しようとする課題】
【０００３】
本考案の主な課題は、吊るしカード嵌接部とジャケットとの係止構造により、吊るしカードとジャケットとが結合された後、脱離しない状態になるジャケット吊るしカードの盗難防止構造を提供することにある。
【０００４】
本考案の他の課題は、上記吊るしカードとジャケットとの係合構造であって、プライヤー等のカットツールを利用して、嵌接部の上部円弧状中空部で、係止部材の係止端を裁断してから、吊るしカードとジャケットとの定位係合状態が分離でき、吊るしカードに、盗難防止ラベルを張り付けることにより、大幅に、盗難される困難度が向上し、優れた盗難防止効果が達成可能なジャケット吊るしカードの盗難防止構造を提供することにある。
【課題を解決するための手段】
【０００５】
そこで、本考案者は、上記の本考案の課題を解決するため鋭意検討を重ねた結果、下記構造の嵌設部を設けた吊るしカードが上記課題を解決できることに着目し、本考案に想到するに至った。
【０００６】
かくして、本考案によれば、ジャケットに結合される吊るしカードであって、
吊るしカードの下端において、中央に、嵌接部が設けられ、上記嵌接部の両側辺が、対応した係合ブロックになり、上記係合ブロックの外側面に、ともに、突出部が設けられ、二つの係合ブロックの間において、中空部が形成されて、係止部材が設けられ、上記係止部材が、主として、係止端部で、吊るしカードと連結し、係止端の両側に、上円弧状中空部が形成され、上記係止部材が、その中部及び下部領域に、両側に設けてある係合ブロックに向かって伸びる当接部が形成される、
ことを特徴とするジャケット吊るしカードの盗難防止構造が提供される。
【０００７】
本考案は、吊るしカードの下端において、中央に、嵌接部が設けられ、上記嵌接部の両側辺が、対応した係合ブロックになり、上記係合ブロックの外側面に、ともに、突出が設けられ、また、二つの係合ブロックの間において、中空段が形成されて、係止部材が設けられ、上記係止部材が、主として、係止端で、吊るしカードと連結し、係止端の両側に、上円弧状中空部が形成され、上記係止部材が、その中段や下段領域に、両側にある係合ブロックに向かって伸びる当接部が形成される、ことを特徴とするジャケット吊るしカードの盗難防止構造である。
【考案の効果】
【０００８】
本考案は上記の通りの構成からなり、吊るしカードとジャケットとの緊密な結合構造を提供することができる。
【考案を実施するための最良の形態】
【０００９】
以下、図面を参照しながら、本考案の特徴や技術内容について、詳しく説明するが、それらの図面等は、参考や説明のためであり、本考案は、それによって制限されることが無い。
【００１０】
図1と図2に示すように、本考案に係る吊るしカードの盗難防止構造は、吊るしカード10の下端において、中央に、嵌接部20が設けられ、上記嵌接部20の両側辺が、対応した係合ブロック21になり、上記係合ブロック21の外側面に、ともに、突出部22が設けられる。また、二つの係合ブロック21の間において、中空部が形成されて、係止部材23が設けられ、上記係止部材23が、係止端部25で、吊るしカード10と連結する。また、係止端部25の両側に、上円弧状中空部26が形成する。係止部材23が、その中部や下部領域に、両側に設けてある係合ブロック21に向かって伸びる当接部24が形成される。
【００１１】
図3と図4に示すように、上記吊るしカード10の嵌接部20とジャケット30の嵌接口31とが、結合され、上記係合ブロック21の幅と嵌接口31の幅とが、一致し、上記嵌接部31が、当接部24で、両側の係合ブロック21を外へ押し出す。これにより、係合ブロック21が、緊密に嵌接口31の孔壁に当接し、上記係合ブロック21上の突出部22が、嵌接口31の欠け口32内に係止する。そのため、ジャケット30と吊るしカード10とが、外力により、強制に引き抜られる時、上記係止部材20の当接部24により、係合ブロック21が内部へ縮む空間が制限されて、吊るしカード10とジャケット30とが、分離できない係合状態になる。
【００１２】
また、図5と図6に示すように、吊るしカード10とジャケット30との係合状態が解除する場合、プライヤー等のカットツールで、嵌接部20の上部円弧状中空部26で、係止部材23の係止端部25を裁断すれば、上記係合ブロック21は、当接部24の内部係止が解除され、中空の内端へ押さえられて収縮する。これにより、吊るしカード10とジャケット30の係合状態を解除することができる。
【００１３】
以上は、本考案のより良い実施例であり、本考案は、それによって限定されるものでなく、本考案に係わる実用新案登録請求の範囲や明細書の内容に基づいて行った等価の変更や修正は、全てが、本考案の範囲内に含まれる。
【図面の簡単な説明】
【００１４】
【図１】本考案に係る吊るしカードの斜視図である。
【図２】本考案に係る吊るしカードの構造概念図である。
【図３】本考案に係る吊るしカードとジャケットとの接合構造概念図である。
【図４】本考案に係る吊るしカードとジャケットとの接合構造の断面概念図である。
【図５】本考案に係る吊るしカードとジャケットとの係合解除状態概念図1である。
【図６】本考案に係る吊るしカードとジャケットとの係合解除状態概念図2である。
【符号の説明】
【００１５】
10  吊るしカード          
20  嵌接部
21  係合ブロック
22  突出部
23  係止部材
24  当接部
25  係止端部
26  上円弧状中空部
30  ジャケット
31  嵌接口
32  欠け口
【図１】
0003183076.tif 000003
【図２】
0003183076.tif 000004
【図３】
0003183076.tif 000005
【図４】
0003183076.tif 000006
【図５】
0003183076.tif 000007
【図６】
0003183076.tif 000008